(57)【要約】【課題】読み取った原稿の中に白紙があるか否か判断する時間を短縮する。【解決手段】原稿の画像を読み取る読み取り手段と、前記読み取り手段が読み取った画像を記憶する記憶手段と、前記読み取った画像が白紙であるか否かを判定する白紙判定手段と、前記白紙判定手段が白紙であると判定した画像を表示する表示手段と、前記白紙であると判定した画像を削除するか否かを使用者に選択させる選択手段と、使用者が削除を選択したときに、前記白紙であると判定した画像を前記記憶手段から削除する削除手段とを備え、前記表示手段は、前記白紙であると判定した画像を重ね合わせて表示する。【選択図】        図１
2015026954.tif 000002
【特許請求の範囲】
【請求項１】
原稿の画像を読み取る読み取り手段と、
前記読み取り手段が読み取った画像を記憶する記憶手段と、
前記読み取った画像が白紙であるか否かを判定する白紙判定手段と、
前記白紙判定手段が白紙であると判定した画像を表示する表示手段と、
前記白紙であると判定した画像を削除するか否かを使用者に選択させる選択手段と、
使用者が削除を選択したときに、前記白紙であると判定した画像を前記記憶手段から削除する削除手段とを備え、
前記表示手段は、前記白紙であると判定した画像を重ね合わせて表示することを特徴とする画像読み取り装置。
【請求項２】
請求項１に記載の画像読み取り装置において、
前記表示手段が前記白紙であると判定した画像を重ね合わせて表示したとき、重ね合わせた画像の領域を前記表示手段上で使用者が指定する領域指定手段と、
前記重ね合わせた画像のうち、前記領域指定手段により指定した領域に画像が存在するページを抽出する抽出手段と、
前記抽出手段により抽出したページを前記表示手段が表示し、表示したページに基づいて使用者が削除するページを選択するページ選択手段とを備えることを特徴とする画像読み取り装置。
【請求項３】
請求項２に記載の画像読み取り装置において、
前記表示手段は、前記抽出したページを表示するとき、前記指定した領域を拡大して表示することを特徴とする画像読み取り装置。
【請求項４】
請求項２または請求項３に記載の画像読み取り装置において、
前記表示手段は、前記抽出したページを表示するとき、１ページ毎に表示することを特徴とする画像読み取り装置。
【請求項５】
請求項２または請求項３に記載の画像読み取り装置において、
前記表示手段は、前記抽出したページを表示するとき、複数のページを同時に表示することを特徴とする画像読み取り装置。
【請求項６】
読み取った原稿の画像を入力する画像入力手段と、
前記画像入力手段が入力した画像を記憶する記憶手段と、
前記入力した画像が白紙であるか否かを判定する白紙判定手段と、
前記白紙判定手段が白紙であると判定した画像を表示部に表示させる表示制御手段と、
前記白紙であると判定した画像を削除するか否かを使用者に選択させる選択制御手段と、
使用者が削除を選択したときに、前記白紙であると判定した画像を前記記憶手段から削除する削除手段とを備え、
前記表示制御手段は、前記白紙であると判定した画像を重ね合わせて前記表示部に表示させることを特徴とする画像処理装置。
【発明の詳細な説明】
【技術分野】
【０００１】
本発明は、白紙を削除する機能を有する画像読み取り装置および画像処理装置に関する。
【背景技術】
【０００２】
従来の技術においては、原稿を読み取って画像データを生成し、外部装置に出力する装置のうち白紙を削除する機能（白紙削除機能）を有するものがあり、例えば、原稿の黒い部分（印刷部分）が少ないページを白紙であると判定し削除するものがある。しかし、原稿が白紙であるか否かの判定を行うことは難しく、白紙ではないページを誤って削除する場合があるため、読み取った原稿の画像データを出力処理する前に、原稿の中に白紙のページがあると判定した場合、白紙であると判定したページの画像をプレビュー表示し、ユーザに確認させるようにしているものがある（例えば、特許文献１参照）。
【先行技術文献】
【特許文献】
【０００３】
【特許文献１】特開２００１−２４５０７４号公報
【発明の概要】
【発明が解決しようとする課題】
【０００４】
しかしながら、従来の技術においては、読み取った原稿の中に白紙であると判定したページが存在するときに、白紙であると判定したページの画像が本当に白紙であるか否かをユーザが１ページ毎に確認して判断する必要があるため、判断に長い時間を要するという問題があり、特に白紙であると判定したページ数が多いときはさらに長い時間を要する。
本発明は、このような問題を解決することを課題とし、読み取った原稿の中に白紙があるか否か判断する時間を短縮することができることを目的とする。
【課題を解決するための手段】
【０００５】
そのため、本発明は、原稿の画像を読み取る読み取り手段と、前記読み取り手段が読み取った画像を記憶する記憶手段と、前記読み取った画像が白紙であるか否かを判定する白紙判定手段と、前記白紙判定手段が白紙であると判定した画像を表示する表示手段と、前記白紙であると判定した画像を削除するか否かを使用者に選択させる選択手段と、使用者が削除を選択したときに、前記白紙であると判定した画像を前記記憶手段から削除する削除手段とを備え、前記表示手段は、前記白紙であると判定した画像を重ね合わせて表示することを特徴とする。
【発明の効果】
【０００６】
このようにした本発明は、読み取った原稿の中に白紙があるか否か判断する時間を短縮することができるという効果が得られる。
【図面の簡単な説明】
【０００７】
【図１】第１の実施例における画像読み取り装置のブロック図
【図２】第１の実施例における画像の合成の説明図
【図３】第１の実施例におけるプレビュー画面の説明図
【図４】第１の実施例における画像読み取り装置の白紙削除処理の流れを表すフローチャート
【図５】第１の実施例における画像処理装置のブロック図
【図６】第１の実施例におけるプレビュー画面の説明図
【図７】第２の実施例におけるプレビュー画面の説明図
【図８】第２の実施例における領域指定画面の説明図
【図９】第２の実施例におけるページ選択画面の説明図
【図１０】第２の実施例におけるページ選択画面の説明図
【図１１】第２の実施例における画像読み取り装置の白紙削除処理の流れを表すフローチャート
【発明を実施するための形態】
【０００８】
以下、図面を参照して本発明による画像読み取り装置および画像処理装置の実施例を説明する。
【実施例１】
【０００９】
画像読み取り装置は、原稿を読み取り、画像データを生成し、生成した画像データを保存するものである。
画像処理装置は、スキャナ装置および記憶装置が接続されたＰＣ（Ｐｅｒｓｏｎａｌ  Ｃｏｍｐｕｔｅｒ）などの情報処理端末であり、スキャナ装置に原稿を読み取らせ、画像データを生成し、生成した画像データを外部の記憶装置に保存するものである。
まず、画像読み取り装置について説明する。
【００１０】
図１は、第１の実施例における画像読み取り装置のブロック図である。
図１において、画像読み取り装置１は、白紙削除機能を有しており、原稿を１ページ毎に読み取り、生成した画像データを白または黒の２値で表す２値化画像データに変換し、変換した２値化画像データに基づいて１ページ毎に原稿が白紙であるか否かの判定を行い、白紙であると判定したページの２値化画像データを合成し、合成した２値化画像データを画像として表示し、表示を確認したユーザ（使用者）の操作により白紙であると判定したページの画像データを一括して削除する白紙削除処理を行うものである。
【００１１】
なお、画像データとは、画像を白から黒までの明暗だけで表現するグレースケール、または、カラーの画像データである。
また、２値化画像データとは、濃淡のある画像データを白または黒の２値で表す画像データに変換したものであり、所定の輝度を閾値として設け、閾値以上である輝度の画素を白に変換し、閾値未満である輝度の画素を黒に変換した画像データである。
【００１２】
画像読み取り装置１は、メイン制御部１１と、スキャナ１２と、原稿読み取り制御部１３と、白紙判定部１４と、画像合成部１５と、操作パネル１６と、操作パネル制御部１７と、記憶装置１８と、画像記憶制御部１９と、ネットワーク制御部２０とから構成されている。
メイン制御部１１は、ＣＰＵ（Ｃｅｎｔｒａｌ  Ｐｒｏｃｅｓｓｉｎｇ  Ｕｎｉｔ）等およびメモリ等により構成され、メモリ等に格納された制御プログラム（ソフトウェア）に基づいてＣＰＵ等により画像読み取り装置１全体の制御を行うものである。
【００１３】
読み取り手段としてのスキャナ１２は、原稿を１ページ毎に搬送する自動原稿搬送装置を備えており、原稿読み取り制御部１３の指示に従って、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどに構成されている受光素子（画素）により、原稿の画像を１ページ毎に読み取るものである。
画像入力手段としての原稿読み取り制御部１３は、スキャナ１２に原稿の画像を読み取らせ（入力し）、１ページ毎の画像データを生成するものである。また、生成した画像データは、画像記憶制御部１９により記憶装置１８に保存される。
【００１４】
白紙判定手段としての白紙判定部１４は、読み取った原稿が白紙であるか否かを１ページ毎に判定するものであり、記憶装置１８に保存された画像データを２値化画像データに変換し、変換した２値化画像データに基づいて、原稿１ページの全画素数に対する黒に変換した画素数（黒画素数）の割合を求め、黒画素数の割合が予め設定した一定の割合より小さいとき、そのページは白紙であると判定し、白紙であると判定したページにおける画像データのページ属性に、白紙であることを示す白紙データ属性を付与する。
【００１５】
ページ属性とは、画像データに含まれるデータである。
また、白紙データ属性とは、例えばページ属性の１ビット分のデータで表され、ページ属性に付与されると白紙であることを示すものである。
なお、本実施例において、上述した白紙であるか否かの判定は、画像データを２値化して判定をしたが、それに限られることなく、公知の技術を用いた判定としてもよい。
【００１６】
画像合成部１５は、白紙判定部１４により白紙であると判定され、ページ属性に白紙データ属性を付与されたすべての２値化画像データを重ね合わせて、１ページの２値化画像データに合成するものである。
２値化画像データの合成は、白に変換された画素である白画素を表す２値化画像データを「０」、黒画素を表す２値化画像データを「１」としたＯＲ演算処理により重ね合わせて合成する。すなわち、白紙であると判定した２値化画像データのうち、いずれかの２値化画像データの一部に黒画素が存在するとき、合成した２値化画像データはその一部の画素を黒画素とする。
【００１７】
ここで、図２に基づいて２値化画像データの合成について説明する。
図２は、第１の実施例における画像の合成の説明図である。
図２において、白紙画像２１〜２４は、白紙データ属性を付与された２値化画像データの画像であり、２値化により黒画素を各ページの一部に有している画像である。
白紙画像２１の２値化画像データはページ左上に「‐」の形状、白紙画像２２の２値化画像データはページ中央付近に「ＸＸ」の形状、白紙画像２３の２値化画像データはページ左下に「・」の形状、および白紙画像２４の２値化画像データはページ中央付近に「・」の形状を形成する黒画素を有している。
【００１８】
合成白紙画像２５は、白紙画像２１〜２４の２値化画像データを重ね合わせて合成した画像である。
白紙画像２１〜２４の各２値化画像データに存在する黒画素は、ＯＲ演算処理により合成白紙画像２５の２値化画像データにすべて反映され、操作パネル１６に表示される。
なお、本実施例においては、グレースケールまたはカラーである画像データを２値化した後で合成するようにしているが、それに限られることなく、複数の画像データのうち、各画素において輝度等の色を数値化したものの最大値を利用するなどしてもよい。
【００１９】
図１に戻り、操作パネル１６について説明する。
表示手段の表示部としての操作パネル１６は、ユーザが操作を行うためのタッチパネルであり、入力手段としての静電容量方式等を用いたタッチパッドと、出力手段としての液晶パネル（画面）とから構成されている。
操作パネル１６は、原稿の読み取り条件を設定する設定画面、白紙判定部１４が白紙であると判定したページの画像を重ね合わせて表示する画面（プレビュー画面）およびユーザが読み取り開始等の種々の操作を行うボタン等を表示する。
なお、原稿の読み取り条件を設定する設定画面では、原稿の読み取りを開始する前に、例えば読み取り解像度、用紙サイズ、カラーまたはモノクロの選択、画像フォーマット（画像データの形式）、画像データの送信先などがユーザにより入力される。
【００２０】
図３は、第１の実施例におけるプレビュー画面の説明図である。
図３において、プレビュー画面１０１は、操作パネル１６に表示されるものであり、画像合成部１５により合成した２値化画像データの画像を表示するプレビュー領域３１と、削除ボタン３２および保存ボタン３３とから構成されている。
選択手段としての削除ボタン３２および保存ボタン３３は、白紙判定部１４が白紙であると判定したページの画像データを記憶装置１８から削除するか否かを、合成した２値化画像データの画像を確認したユーザが選択するものである。
【００２１】
削除ボタン３２は、押下されると、白紙であると判定されたすべての画像データを画像記憶制御部１９により記憶装置１８から削除するものである。
保存ボタン３３は、押下されると、白紙であると判定されたすべての画像データを記憶装置１８に保存した状態のままにするものである。
このように、白紙であると判定したすべてのページの２値化画像データを１ページの２値化画像データに合成し、合成した２値化画像データの画像を操作パネル１６に表示するようにしたことにより、ユーザに白紙であると判定したページの画像を一括して確認させるため、読み取った原稿の中に白紙があるか否か判断する時間を短縮することができる。
【００２２】
図１に戻り、操作パネル制御部１７について説明する。
表示手段、表示制御手段および選択制御手段としての操作パネル制御部１７は、操作パネル１６の表示の制御、操作パネル１６に表示したキーが押下されることによって文字や記号が入力されるキー入力の制御、および、操作パネル１６に表示したボタンが押下されることによって予め設定された処理を実行するボタン入力の制御を行うものである。
記憶手段としての記憶装置１８は、原稿読み取り制御部１３がスキャナ１２に原稿の画像を読み取らせて生成した画像データを、画像記憶制御部１９の指示により保存（記憶）または削除するものである。
【００２３】
画像記憶制御部１９は、原稿読み取り制御部１３が生成した画像データを記憶装置１８に保存させる。
また、削除手段としての画像記憶制御部１９は、白紙判定部１４が白紙であると判定したページの画像データを記憶装置１８から削除させ、記憶装置１８を制御するものである。
ネットワーク制御部２０は、読み取った画像データをネットワーク経由で外部装置に送信したり、外部装置からのデータを受信したりするものである。
【００２４】
上述した構成の作用について説明する。
画像読み取り装置１が行う白紙削除処理を図４の第１の実施例における画像読み取り装置の白紙削除処理の流れを表すフローチャートの図中Ｓで示すステップにしたがって図１、図２および図３を参照しながら説明する。
Ｓ１０１：原稿がスキャナ１２の自動原稿搬送装置にセット（載置）される。
Ｓ１０２：操作パネル１６は、原稿の読み取り条件を設定する設定画面を表示し、ユーザの操作により上述した読み取り解像度等の読み取り条件が入力される。
【００２５】
Ｓ１０３：操作パネル１６に表示した読み取り開始ボタンがユーザにより押下されると、原稿読み取り制御部１３はスキャナ１２に指示し、原稿の読み取りを開始させる。
Ｓ１０４：原稿読み取り制御部１３は、スキャナ１２に原稿を１ページ読み取らせ、画像データを生成する。生成した画像データは、画像記憶制御部１９により記憶装置１８に保存される。
Ｓ１０５：白紙判定部１４は、記憶装置１８に保存した画像データを２値化画像データに変換し、変換した２値化画像データに基づいて１ページ毎に白紙であるか否かを判定する。白紙であると判定すると処理をＳ１０６へ移行し、白紙ではないと判定すると処理をＳ１０７へ移行する。
【００２６】
Ｓ１０６：白紙判定部１４は、白紙であると判定したページの画像データにおけるページ属性に白紙データ属性を付与する。
Ｓ１０７：原稿読み取り制御部１３は、スキャナ１２の自動原稿搬送装置に原稿が存在するか否かを判定し、原稿が存在すると判定すると処理をＳ１０４へ移行し、原稿が存在しない、つまり、すべての原稿の読み取りが終了したと判定すると処理をＳ１０８へ移行する。
Ｓ１０８：画像合成部１５は、ページ属性に白紙データ属性が付与されたすべての２値化画像データを図２に示すように重ね合わせて合成する。
Ｓ１０９：操作パネル制御部１７は、操作パネル１６に指示し、Ｓ１０８で合成した２値化画像データの画像を図３に示すプレビュー画面１０１のプレビュー領域３１に表示させる。
【００２７】
Ｓ１１０：合成した２値化画像データの画像を確認したユーザにより、ページ属性に白紙データ属性を付与した画像データをすべて削除するか否かが判断される。操作パネル制御部１７は、削除ボタン３２が押下されたと判定すると処理をＳ１１１へ移行し、保存ボタン３３が押下されたと判定すると画像データを記憶装置１８にそのまま保存した状態とし、本処理を終了する。
Ｓ１１１：画像記憶制御部１９は、ユーザにより削除ボタン３２が押下されたとき、画像記憶装置１８に保存した画像データのうち、ページ属性に白紙データ属性が付与された画像データをすべて削除し、本処理を終了する。
【００２８】
次に、画像処理装置について説明する。
画像処理装置２は、スキャナおよび記憶装置が接続されたＰＣなどの情報処理端末であり、スキャナ装置３に原稿を読み取らせ、画像データを生成し、生成した画像データを画像処理装置２の外部に配置した記憶装置１８に保存するものである。
図５は、第１の実施例における画像処理装置のブロック図である。
図５において、画像処理装置２は、メイン制御部１１と、原稿読み取り制御部１３と、白紙判定部１４と、画像合成部１５と、操作パネル制御部１７と、画像記憶制御部１９と、ネットワーク制御部２０とから構成されており、スキャナ装置３および記憶装置１８がそれぞれ接続されている。
【００２９】
スキャナ装置３は、画像処理装置２の外部に配置され、原稿を読み取るものであり、画像処理装置２の原稿読み取り制御部１３と接続されているスキャナ１２と、操作パネル制御部１７と接続されている操作パネル１６とから構成されている。
記憶装置１８は、画像処理装置２の外部に配置され、画像処理装置２の原稿読み取り制御部１３が生成した画像データを保存するものである。
なお、記憶装置１８は、画像処理装置２の外部に配置されているとしたが、それに限られることなく、画像処理装置２の内部に配置されてもよい。
また、画像読み取り装置１と同一の符号を付した部分は、同様の動作を行うため、その説明を省略する。
【００３０】
さらに、上述した構成の作用については、画像読み取り装置１と同様であるため説明を省略する。
ただし、第１の実施例の画像読み取り装置１についての説明で、「スキャナ１２」とあるのは「スキャナ装置３のスキャナ１２」と、「操作パネル１６」とあるのは「スキャナ装置３の操作パネル１６」と、「記憶装置１８」とあるのは「画像処理装置２の外部に配置された記憶装置１８」と読み替えるものとする。また、「画像読み取り装置１」とあるのは「画像処理装置２」と読み替えるものとする。
【００３１】
以上説明したように、第１の実施例の画像読み取り装置および画像処理装置では、白紙判定部が白紙であると判定したすべてのページの画像を合成して表示することにより、一括してユーザに確認させるため、読み取った原稿の中に白紙があるか否か判断する時間を短縮することができるという効果が得られる。
なお、図３に示したプレビュー画面１０１では、白紙であると判定したすべてのページの画像データを削除するか、または、保存するかの２つの選択肢を設けたが、それに限られることなく、合成した２値化画像データの画像ではユーザによる判断ができない場合、図６に示すようにプレビュー画面１０２にページ選択ボタン３４を追加し、従来の技術と同様に１ページ毎にプレビュー領域３１に白紙判定部１４が白紙であると判定したページを表示し、ユーザが選択できるようにしてもよい。
【実施例２】
【００３２】
まず、画像読み取り装置について説明する。
第１の実施例においては、合成した２値化画像データの画像を表示し、一括してユーザに確認させていたが、第２の実施例では、合成した２値化画像データの画像を表示し、表示した画像に必要である画像が確認された場合、ユーザに操作パネル１６上で必要である画像を囲む領域を指定させ、指定させた領域に黒画素が存在するページを抽出し、抽出したページをページ毎に表示してユーザに削除するか否かを判断させる。
なお、第２の実施例の画像読み取り装置のブロック図は、図１に示した第１の実施例の画像読み取り装置のブロック図と同様であり、同一の符号を付してその説明を省略する。
【００３３】
図７は、第２の実施例におけるプレビュー画面の説明図である。
図７において、プレビュー画面１０３は、図３に示す第１の実施例のプレビュー画面１０１と同様に操作パネル１６に表示されるものであり、プレビュー領域３１と、削除ボタン３２と、保存ボタン３３とから構成されており、さらに領域指定ボタン３５が追加されている。
領域指定ボタン３５は、プレビュー画面１０３に表示した合成した２値化画像データの画像に、必要である画像が含まれているとユーザにより判断された場合に押下される。領域指定ボタン３５が押下されると、操作パネル制御部１７は、操作パネル１６の表示をプレビュー画面１０３から領域指定画面１０４に切り替える。
【００３４】
図８は、第２の実施例における領域指定画面の説明図である。
図８において、領域指定画面１０４は、操作パネル１６に表示されるものであり、画像合成部１５により合成した２値化画像データの画像を表示するプレビュー領域３１と、プレビュー領域３１内に図中点線で表示する矩形領域４１と、矩形領域４１の位置および範囲を指定する矩形領域指定点３９および矩形領域指定点４０の移動に用いる左上指定ボタン３６および右下指定ボタン３７と、矩形領域４１の位置および範囲を決定する決定ボタン３８とから構成されている。
【００３５】
矩形領域４１は、矩形領域指定点３９と、矩形領域指定点４０の対角の矩形領域指定点４０とから構成されている。
領域指定手段としての矩形領域指定点３９および矩形領域指定点３９は、操作パネル１６が白紙であると判定したページの画像を重ね合わせて表示したとき、重ね合わせた画像の領域を操作パネル１６上でユーザが指定するものである。
矩形領域指定点３９は、操作パネル１６に表示された矩形領域４１の左上の角の頂点であり、ユーザにより操作パネル１６上でドラッグされることでプレビュー領域３１の座標上を移動するものである。
【００３６】
矩形領域指定点４０は、操作パネル１６に表示された矩形領域４１の右下の角の頂点であり、ユーザにより操作パネル１６上でドラッグされることでプレビュー領域３１の座標上を移動するものである。
左上指定ボタン３６は、押下されると、矩形領域指定点３９を指定（固定）するものである。
右下指定ボタン３７は、押下されると、矩形領域指定点４０を指定（固定）するものである。
【００３７】
決定ボタン３８は、押下されると、矩形領域指定点３９および矩形領域指定点４０により指定した矩形領域４１の位置および範囲を決定するものである。
上述のように領域指定画面１０４は構成されている。
抽出手段としても用いられる白紙判定部１４は、重ね合わせた画像のうち、矩形領域指定点３９および矩形領域指定点４０により指定した矩形領域４１に画像が存在するページを抽出する。つまり、白紙判定部１４は、ページ属性に白紙データ属性を付与したすべての２値化画像データのうち、決定された矩形領域４１内に黒画素が所定の閾値以上含まれている２値化画像データのページを抽出する。
白紙判定部１４がページを抽出した後、操作パネル制御部１７は、領域指定画面１０４からページ選択画面１０５に切り替える。
【００３８】
図９は、第２の実施例におけるページ選択画面の説明図である。
図９において、ページ選択画面１０５は、操作パネル１６に表示されるものである。
ページ選択画面１０５は、白紙判定部１４が抽出したページの画像をユーザにより削除するか否かをページ毎に選択させ、判断させる画面であり、プレビュー領域３１と、次ページボタン４２および前ページボタン４３と、トグルボタン４４と、決定ボタン４５とから構成されている。
次ページボタン４２は、押下されると、白紙判定部１４が抽出したページのうち、プレビュー領域３１に表示しているページの次のページの画像を表示する。
【００３９】
前ページボタン４３は、押下されると、白紙判定部１４が抽出したページのうち、プレビュー領域３１に表示しているページの前のページの画像を表示する。
ページ選択手段としてのトグルボタン４４は、白紙判定部１４により抽出したページの画像を操作パネル１６に表示されるものである。
トグルボタン４４は、操作パネル１６に表示したページを削除するか否かについてユーザにより選択され、押下されるものであり、押下される毎に「保存」と「削除」二つの機能が交互に切り替わるトグル機能を有している。
【００４０】
トグルボタン４４は、「保存」と表示した状態で押下されると、プレビュー領域３１に表示した画像のページを保存対象にすると同時にトグルボタン４４は「削除」と表示する。また、トグルボタン４４は、「削除」と表示した状態で押下されると、プレビュー領域３１に表示した画像のページを削除対象にすると同時にトグルボタン４４は「保存」と表示する。
決定ボタン４５は、押下されると、白紙判定部１４が白紙であると判定したページのうち、保存対象として選択された画像を除いた画像の画像データを記憶装置１８から削除する。
【００４１】
このように、必要である画像が存在する領域をユーザに指定させ、指定させた領域内に黒画素が存在するページのみを抽出して、抽出したページの画像を表示することにより、白紙判定部１４が白紙であると判定したすべてのページの画像をユーザに確認させずに、最小限の画像だけを確認させるため、１ページ毎に確認させるよりも時間が短縮できる。
上述した構成の作用について説明する。
画像読み取り装置１が行う白紙削除処理を図１１の第２の実施例における画像読み取り装置の白紙削除処理の流れを表すフローチャートの図中Ｓで示すステップにしたがって、図１に基づいて図３、図４、図７、図８および図９を参照しながら説明する。
【００４２】
Ｓ２０１〜Ｓ２０９：図４におけるＳ１０１〜Ｓ１０９と同様の処理であるため説明を省略する。なお、Ｓ１０９において「図３に示すプレビュー画面１０１」とあるのは、Ｓ２０９では「図７に示すプレビュー画面１０３」と読み替えるものとする。
Ｓ２０９の処理後、プレビュー画面１０３を確認したユーザが、白紙であると判定したページの中に必要である画像が含まれていると判断した場合、ユーザが図７に示す領域指定ボタン３５を押下すると、操作パネル制御部１７は処理をＳ２０９からＳ２１０へ移行する。
【００４３】
Ｓ２１０：操作パネル制御部１７は、図８に示す領域指定画面１０４を操作パネル１６に表示する。ユーザにより必要である画像が含まれるように矩形領域４１が指定され、決定ボタン３８が押下される。
Ｓ２１１：白紙判定部１４は、白紙であると判定したページのうち、矩形領域４１で指定された領域に予め設定した閾値以上の黒画素数が含まれている２値化画像データのページを抽出する。
Ｓ２１２：操作パネル制御部１７は、操作パネル１６の表示を図８に示す領域指定画面１０４から図９に示すページ選択画面１０５に切り替え、白紙判定部１４が抽出したページを１ページ毎に表示する。
【００４４】
Ｓ２１３：白紙判定部１４が抽出したページは、ユーザによりトグルボタン４４を用いてページ毎に削除対象もしくは保存対象に選択される。
Ｓ２１４：ユーザにより決定ボタン４５が押下されると、画像記憶制御部１９は、削除対象とされた画像データを削除する。
Ｓ２１５：削除対象とされた画像データを削除した画像記憶制御部１９は、保存対象とされた画像データを記憶装置１８に保存したままとして、本処理を終了する。
【００４５】
次に、画像処理装置について説明する。
第２の実施例における画像処理装置２のブロック図は、図５に示した第１の実施例の画像処理装置２のブロック図と同様である。
なお、記憶装置１８は、画像処理装置２の外部に配置されているとしたが、それに限られることなく、画像処理装置２の内部に配置されてもよい。
また、第１の実施例の画像処理装置２のブロック図と同一の符号を付した部分は、同様の動作を行うため、その説明を省略する。
【００４６】
さらに、上述した構成の作用については、第２の実施例の画像読み取り装置１と同様であるため説明を省略する。
ただし、第２の実施例の画像読み取り装置１についての説明で、「スキャナ１２」とあるのは「スキャナ装置３のスキャナ１２」と、「操作パネル１６」とあるのは「スキャナ装置３の操作パネル１６」と、「記憶装置１８」とあるのは「画像処理装置２の外部に配置された記憶装置１８」と読み替えるものとする。また、「画像読み取り装置１」とあるのは「画像処理装置２」と、読み替えるものとする。
【００４７】
以上説明したように、第２の実施例の画像読み取り装置および画像処理装置では、必要である画像が存在する領域をユーザに指定させ、指定させた領域内に黒画素が存在するページのみを抽出して、抽出したページの画像を表示することにより、白紙判定部１４が白紙であると判定したすべてのページの画像を確認させずに、最小限の画像だけを確認させるため、白紙であると判定したページの画像を１ページ毎に確認させるよりも時間が短縮できるという効果が得られる。
【００４８】
なお、図９に示したＳ２１２での抽出したページの画像の表示方法は、上述のような方法が可能であるが、それに限られることなく、操作パネル１６が抽出したページの画像を表示するとき、矩形領域４１を拡大して表示することにより、表示画面が小さい場合でも、画像に必要なデータが存在するか否かを確認することが容易になるようにしてもよい。
また、操作パネル１６が抽出したページの画像を表示するとき、複数のページの画像を１画面にまとめて同時に表示することにより、確認の手間を減らすことが容易になるようにしてもよい。
【００４９】
例えば、図９に示すページ選択画面１０５に示すように、抽出したページの画像をプレビュー領域３１に１ページ毎で表示するようにしたが、それに限られることなく、図１０に示すページ選択画面１０６のようにしてもよい。図１０に示すページ選択画面１０６は、複数の抽出したページの画像を同時に表示し、各ページにチェックボックス４９を設け、次画面ボタン４６および前画面ボタン４７を設けてプレビュー領域３１に表示するページの画像を変えて保存対象とするページをユーザに選択させ、決定ボタン４８を押下させることでチェックボックス４９にチェックがされていない削除対象のページを削除するようにしてもよい。
さらに、第１の実施例および第２の実施例では、画像読み取り装置および画像処理装置を例として説明したが、それに限られることなく、原稿を読み取る機能を有する複合機、ファクシミリなどに適用することも可能である。
【符号の説明】
【００５０】
１      画像読み取り装置
２      画像処理装置
３      スキャナ装置
１１    メイン制御部
１２    スキャナ
１３    原稿読み取り制御部
１４    白紙判定部
１５    画像合成部
１６    操作パネル
１７    操作パネル制御部
１８    記憶装置
１９    画像記憶制御部
２０    ネットワーク制御部
２１、２２、２３、２４    白紙画像
２５    合成白紙画像
３１    プレビュー領域
３２    削除ボタン
３３    保存ボタン
３４    ページ選択ボタン
３５    領域指定ボタン
３６    左上指定ボタン
３７    右下指定ボタン
３８、４５、４８    決定ボタン
３９、４０    矩形領域指定点
４１    矩形領域
４２    次ページボタン
４３    前ページボタン
４４    トグルボタン
４６    次画面ボタン
４７    前画面ボタン
４９    チェックボックス
１０１、１０２、１０３  プレビュー画面
１０４  領域指定画面
１０５、１０６  ページ選択画面
【図１】
2015026954.tif 000003
【図２】
2015026954.tif 000004
【図３】
2015026954.tif 000005
【図４】
2015026954.tif 000006
【図５】
2015026954.tif 000007
【図６】
2015026954.tif 000008
【図７】
2015026954.tif 000009
【図８】
2015026954.tif 000010
【図９】
2015026954.tif 000011
【図１０】
2015026954.tif 000012
【図１１】
2015026954.tif 000013